(57)【要約】  【課題】  壁面に固定されるコンセントに埃等に異物が侵入することを抑制し、安全性を向上させることを課題とする。  【解決手段】  壁面に固定されるコンセントを覆うコンセントカバーとして、筒状体であって、一方の開口が前記コンセントの外周を覆うように固定される本体部と、前記本体部の、他方の開口に形成される観音開きの扉体と、前記扉体の対向する両開放縁の少なくとも一方に形成される、電源コードを通す第一切り欠き部とを有するように構成する。【選択図】  図１
2007066609.tif 000002
【特許請求の範囲】
【請求項１】
壁面に固定されるコンセントを覆うカバーであって、
筒状体であって、一方の開口が前記コンセントの外周を覆うように固定される本体部と、
前記本体部の、他方の開口に形成される観音開きの扉体と、
前記扉体の対向する両開放縁の少なくとも一方に形成される、コードを通す第一切り欠き部と
を有するコンセントカバー。
【請求項２】
本体部は前記コンセントの下方方向に一定の空間を形成できる大きさであり、側面下方位置に前記他方の開口縁から延びる第二切り欠き部が形成される
請求項１に記載のコンセントカバー。
【請求項３】
前記扉体が閉じた状態において、前記第１切り欠き部に係合しこれを塞ぐ蓋体を有する請求項１又は２に記載のコンセントカバー。
【請求項４】
前記一方の開口は板体により塞がれ、この板体に前記コンセントを表出させるための穴が形成される請求項１から３のいずれか１項に記載のコンセントカバー。
【発明の詳細な説明】
【技術分野】
【０００１】
本発明は、壁面のコンセントを覆うためのカバーに関する。
【背景技術】
【０００２】
従来、壁面の取り付けられるコンセントは、壁面にむき出しており、このコンセントに電気機器の電源プラグを挿して使用する。
【発明の開示】
【発明が解決しようとする課題】
【０００３】
しかし、このような使用方法では、コンセントと電源プラグの接合部分が表出するので、埃が溜まり、また、飲み物等をこぼした際に直接液体がコンセントにかかってしまうことになる。これは、火災や漏電、感電を発生させる原因となり、不慮の事故を招きかねない。
本発明は、このような問題に鑑みて、壁面に固定されるコンセントに埃等に異物が侵入することを抑制し、安全性を向上させることを課題とする。
【課題を解決するための手段】
【０００４】
上記課題を解決するために、本発明は次のような構成を有する。
請求項１に記載の発明は、壁面に固定されるコンセントを覆うコンセントカバーであって、筒状体であって、一方の開口が前記コンセントの外周を覆うように固定される本体部と、前記本体部の、他方の開口に形成される観音開きの扉体と、前記扉体の対向する両開放縁の少なくとも一方に形成される、電源コードを通す第一切り欠き部とを有するものである。
このような構成を有するコンセントカバーは、コンセントに電源プラグを挿して第一切り欠き部から電源コードを通すようにして扉体を閉じるようにして使用する。
請求項２に記載の発明は、前記コンセントカバーにおいて、本体部は前記コンセントの下方方向に一定の空間を形成できる形状を、側面下方位置に前記他方の開口縁から延びる第二切り欠き部が形成されるものである。
請求項３に記載の発明は、前記コンセントカバーにおいて、前記扉体が閉じた状態において、前記第１切り欠き部に係合しこれを塞ぐ蓋体を有するものである。
請求項４に記載の発明は、前記コンセントカバーにおいて、前記一方の開口は板体により塞がれ、この板体に前記コンセントを表出させるための穴が形成されるものである。
【発明の効果】
【０００５】
請求項１に記載の発明は、コンセントと電源プラグが本体部と扉体により覆われるので、内部の埃などが侵入することが無く、液体などがこぼれてきてもコンセント等に液体がかかることが抑制されるので、コンセント部分の安全性を高めることができる。
請求項２に記載の発明は、本体部内部において、コンセント下方方向に一定の空間ができるので、トランスを有する電源プラグのように大きな電源プラグでもこの空間に収まる大きさであれば本体内部に収納でき、また、このような電源プラグは側方に電源コードが延びるものが多いので、このような電源コードを扉体を開けて第二切り欠き部へ通してから扉体を閉めることで、電源コードを外部へと通すことができる。
請求項３に記載の発明は、未使用の第一切り欠き部を蓋体により塞ぐことで安全性を高めることができる。即ち、前記コンセントが一つも使用されていない場合や、前記第一切り欠き部がコンセントの口数分設けられ、かつ、前記コンセントの内の一部が使用されていないような場合には、切り欠き部が空いてしまうことになり、ここを通して本体内部に埃などの異物が侵入することになるが、蓋体を設けることによりこれを防ぐことができる。
請求項４に記載の発明は、本体部の壁面側の開口を板体により塞ぎ、コンセント部分のみに穴を開けるようにすると、本体部と壁面との接合面から異物が侵入することをより効果的に防ぐことができる。
【発明を実施するための最良の形態】
【０００６】
以下、本発明の実施形態について、図面を参照しながら説明する。
図１に本実施形態にかかるコンセントカバーＸの一部分解斜視図を示す。コンセントカバーＸは主に本体部１０と扉体２０とから構成される。これらは合成樹脂により形成される。本体部１０は長方形の筒体であって、一方の開口部は後述する背面板により塞がれ、他方の開口部は扉体２０により塞がれている。
扉体２０は、２枚の戸部材２１、２２により構成され、扉体２０が観音開きの扉になるように、戸部材２１、２２は本体部１０の開口の両側縁にヒンジ２１ａ、２２ａにより回動自在に固定されている。戸部材２１、２２は閉じた状態において側縁同士がほぼ接触するようになっており、この相対する側縁を挟んでほぼ正方形状の穴が形成されるように、各側縁に対向するようにコの字状の第一切り欠き２３が形成されている。この第一切り欠き２３はそれぞれの戸部材２１、２２の縁部に縦方向に３箇所形成される。また、戸部材２１の側縁上下近傍には、回動自在に固定される板部材からなるカンヌキ体２４、２４が設けられ、板部材２２の側縁上下近傍には、このカンヌキ体２４、２４に係合する係合片２５、２５が固定されている。戸部材２１、２２を閉じて、図１に示すようにカンヌキ体２４を回動させて係合片２５に係合させると両扉部材２１、２２は閉じた状態に固定される。
扉体２０を閉じた状態において第一切り欠き２３により形成される正方形状の穴は、不必要な場合は蓋体３０により塞がれる。蓋体３０は、円盤体３１の前面に長方形の板状の摘み３２が固定され、背面に前記正方形状の穴に嵌合する正方形状の突起が固定されている。蓋体３０はここでは、シリコーンゴムにより形成される。
図２に扉体２０を開いた状態におけるコンセントカバーＸの正面図を示し、図３にコンセントカバーＸの縦断面図を示す。本体部１０の扉体２０が設けられていない方の開口は一体に形成される背面板１１により塞がれている。背面板１１には、壁面のコンセントを表出させるための長方形状のコンセント穴１１ａ、モダンプレートを嵌合させるための長方形状の凸部よりなる係合凸部１１ｂ、モダンプレートを固定するためのネジ穴１１ｃが形成されている。なお、モダンプレートは、コンセント本体を壁面外側から覆うコンセント部分に穴の開いた板状のカバーの指称である。また、ネジ穴１１ｃの位置は、対応するモダンプレートの取り付け穴に応じて適宜変更してよく、複数種類のモダンプレートに対応できるように複数設けることもできる。コンセント穴１１ａは、背面板１１のやや上方に形成され下方に一定の間隔ができるようになっている。これは、コンセントの一番下に位置するコンセント口にトランスを内蔵する大型のコンセントを取り付ける際に、背面板上に大型のコンセントが載るようにするためにである。これにより、本体内部のコンセントより下方に一定の空間が形成されることになる。また、本体部の底面側には、前縁から長方形状の第二切り欠き１２が形成されている。
【０００７】
次に、以上のような構成を有するコンセントカバーＸの使用方法について説明する。
図３の縦断面図に示すように、本体部１０の背面板１１の係合凸部１１ｂにモダンプレートＰを嵌合させる。なお、ここで使用するモダンプレートPは図に示すように、最下方に取付けた大型の電源プラグＥtがはみ出さないように下方部分が延長されたものを使用している。モダンプレートＰのネジ穴は背面板１１のネジ穴１１ｃと重なるようになっているので、この状態で、モダンプレートＰと背面板１１を壁面のコンセントＣがコンセント穴１１ａおよびモダンプレートＰの穴から表出するように重ねてネジＳを介して壁面の雌ネジに、モダンプレートＰと背面板１１とを固定する。これで、壁面のコンセントへの取り付けは完了する。
その後、コンセントに電源プラグＥを差し込む際には、まず、扉体２０の戸部材２１、２２を開いた状態として、本体１０の背面板１１に表出しているコンセントに、電源プラグＥを挿し込み、戸部材２１、２２を閉じる。この際、第一切り欠き２３により形成される正方形状の穴から電源コードが通るようにする。なお、電源プラグがトランスを内蔵する大型の電源プラグＥtである場合は、一番下に位置するコンセント口に電線が下方から延びるようにして電源プラグＥtを挿し込み、電線を本体部底面の第二切り欠き１２から外部へ通すようにする。戸部材２１、２２を閉じたら、カンヌキ体２４、２４を係合片２５、２５に係合させて扉体２０を閉じた状態に保持する。なお、第一切り欠き２３により形成される正方形状の穴が余った場合には、蓋体３０をこの穴に係合させて蓋をする。
このようにしてコンセントカバーＸを使用することで、コンセント及び電源プラグに対して外部からの異物が侵入することが抑制され、事故等を未然に防ぐことができる。
【図面の簡単な説明】
【０００８】
【図１】実施形態に係るコンセントカバーの一部分解斜視図である。
【図２】実施形態に係るコンセントカバーの扉体を開いた状態を示す正面図である。
【図３】実施形態に係るコンセントカバーの縦断面図である。
【符号の説明】
【０００９】
Ｘ      コンセントカバー
１０    本体部
１１    背面板
１１ａ  コンセント穴
１２    第二切り欠き
２０    扉体
２３    第一切り欠き
３０    蓋体
【図１】
2007066609.tif 000003
【図２】
2007066609.tif 000004
【図３】
2007066609.tif 000005